(57)【要約】清掃用物品は、フロック加工基材（１）を備え、ここで、フロック（３）は、基材に実質的に垂直に配列され、かつ最大長さ２．０ｍｍを有する繊維を備え、また、繊維は、研磨粒子を実質的に含まない。一実施形態では、フロック加工基材は、フォーム層（９）に積層され、手持ち式の清掃用パッドを提供する。別の実施形態では、基材はワイプである。
2005537857.tif 000002
【特許請求の範囲】
【請求項１】
フロック加工された基材であって、フロックが、前記基材に実質的に垂直に配列され、かつ最大長さ２．０ｍｍの繊維を備え、前記繊維が研磨粒子を実質的に含まないフロック加工基材の家庭用汚れ落とし材としての使用。
【請求項２】
前記フロックが、長さ０．４〜０．８ｍｍの範囲の繊維を備える、請求項１に記載のフロック加工基材の使用。
【請求項３】
前記フロックが、繊度１５〜８０ｄｔｅｘの範囲の繊維を備える、請求項１あるいは２に記載のフロック加工基材の使用。
【請求項４】
前記フロックが、繊度２２〜４４ｄｔｅｘの範囲の繊維を備える、請求項３に記載のフロック加工基材の使用。
【請求項５】
前記フロックが、長さ０．８ｍｍ、および繊度４４ｄｔｅｘの繊維を備える、請求項１〜４のいずれか１項に記載のフロック加工基材の使用。
【請求項６】
前記フロックが、長さ０．４ｍｍ、および繊度２２ｄｔｅｘの繊維を備える、請求項１〜４のいずれか１項に記載のフロック加工基材の使用。
【請求項７】
前記フロックが、ポリアミド材料の繊維を備える、請求項１〜６のいずれか１項に記載のフロック加工基材の使用。
【請求項８】
前記フロックが、前記基材の可撓性を実質的に変えない接着剤層によって前記基材に固着されている、請求項１〜７のいずれか１項に記載のフロック加工基材の使用。
【請求項９】
前記フロックが、アクリル系接着剤又はＰＶＣ樹脂によって基材に固着されている、請求項８に記載のフロック加工基材の使用。
【請求項１０】
前記フロックが、前記基材上に不均一に配置されている、請求項１〜９のいずれか１項に記載のフロック加工基材の使用。
【請求項１１】
前記基材が、編織ウェブ材料又は不織ウェブ材料である、請求項１〜１０のいずれか１項に記載のフロック加工基材の使用。
【請求項１２】
前記フロック加工基材がフォーム層に積層されている、請求項１〜１１のいずれか１項に記載のフロック加工基材の使用。
【請求項１３】
前記基材が、露出し、かつワイプとしての使用に有効な液体吸収面をもったワイプ材料の一部分である、請求項１〜１１のいずれか１項に記載のフロック加工基材の使用。
【請求項１４】
フォーム層に積層されたフロック加工基材を備える清掃用物品であって、前記フロックは、それらが固着される前記基材の表面に実質的に垂直に配列され、かつ最大長さ２．０ｍｍの繊維を備え、前記繊維が研磨粒子を実質的に含まない、清掃用物品。
【請求項１５】
前記フォーム層が、手持ちで使用するのに好適なパッドを備える、請求項１４に記載の清掃用物品。
【請求項１６】
前記フォームが、ポリウレタンフォーム又はセルロース系フォームである、請求項１４あるいは１５に記載の清掃用物品。
【請求項１７】
前記フォームの厚さが０．５〜５．０ｃｍの範囲である、請求項１４〜１６のいずれか１項に記載の清掃用物品。
【請求項１８】
前記フロックが、前記基材上に不均一に配置されている、請求項１４〜１７のいずれか１項に記載の清掃用物品。
【請求項１９】
前記基材が、編織ウェブ材料又は不織ウェブ材料である、請求項１４〜１８のいずれか１項に記載の清掃用物品。
【請求項２０】
フロック加工されたワイプを備える清掃用物品であって、前記フロックは、それらが固着される前記ワイプの表面に実質的に垂直に配列され、かつ最大長さ２．０ｍｍの繊維を備え、前記繊維が研磨粒子を実質的に含まない、清掃用物品。
【請求項２１】
前記フロックは、前記ワイプの液体吸収面の少なくとも一領域が露出したままであるようにワイプに適用されている、請求項２０に記載の清掃用物品。
【請求項２２】
前記フロックが、前記ワイプの一面にだけ適用されている、請求項２０あるいは２１に記載の清掃用物品。
【請求項２３】
前記フロックが、前記ワイプの表面の特定部分だけに適用されている、請求項２０〜２２のいずれか１項に記載の清掃用物品。
【請求項２４】
前記ワイプが、使い捨てワイプ、半使い捨てワイプ、および再使用可能なワイプからなる群から選択される、請求項２０〜２３のいずれか１項に記載の清掃用物品。
【請求項２５】
前記ワイプが、坪量１５〜３００ｇｍ／ｍ2の範囲の材料を備える、請求項２０〜２４のいずれか１項に記載の清掃用物品。
【請求項２６】
前記フロックが、長さ０．４〜０．８ｍｍの範囲の繊維を備える、請求項１４〜２５のいずれか１項に記載の清掃用物品。
【請求項２７】
前記フロックが、繊度１５〜８０ｄｔｅｘの範囲の繊維を備える、請求項１４〜２６のいずれか１項に記載の清掃用物品。
【請求項２８】
前記フロックが、繊度２２〜４４ｄｔｅｘの範囲の繊維を備える、請求項２７に記載の清掃用物品。
【請求項２９】
前記フロックが、長さ０．８ｍｍ、および繊度４４ｄｔｅｘの繊維を備える、請求項２６〜２８のいずれか１項に記載の清掃用物品。
【請求項３０】
前記フロックが、長さ０．４ｍｍ、および繊度２２ｄｔｅｘの繊維を備える、請求項２６〜２８のいずれか１項に記載の清掃用物品。
【請求項３１】
前記フロックが、ポリアミド材料の繊維を備える、請求項１４〜３０のいずれか１項に記載の清掃用物品。
【請求項３２】
前記フロックが、前記基材の可撓性を実質的に変えない接着剤層によって前記基材に固着されている、請求項１４〜３１のいずれか１項に記載の清掃用物品。
【請求項３３】
前記フロックが、アクリル系接着剤又はＰＶＣ樹脂によって前記基材に固着されている、請求項３２に記載の清掃用物品。
【発明の詳細な説明】
【技術分野】
【０００１】
本発明は、家庭環境、産業環境、病院環境、および食品産業環境を含む様々な環境でいろいろな表面を清掃するために汚れ落とし材として消費者が使用するのに好適な基材に関する。
【背景技術】
【０００２】
汚れを擦り落とす作用を提供する基材は、家庭環境で清掃用に広く使用されており、料理用品の清掃に、および台所および浴室の表面の清掃に最も頻繁に採用されている。このような用途が既に知られている汚れ落とし基材には、米国特許第２，９５８，５９３号明細書に記載される種類の樹脂結合された不織ウェブが挙げられる。それらのウェブは、その研磨作用を向上させるため、研磨粒子を組込む場合がある。
【０００３】
また、米国特許第４，９９１，３６２号明細書に記載のような、捲縮フィラメント又は波形フィラメントの連続トウから形成されるパッドも料理用品の汚れを擦り落とすことが知られている。それらのパッドも、その研磨作用を向上させるため、研磨粒子を組込む場合がある。
【０００４】
英国特許第１５３９４７７号明細書および国際公開第０２／０６００９号パンフレットでは、家庭での清掃にフロック加工された基材を使用し、フロック繊維の自由端に（樹脂のビーズの形態の）研磨粒子を沈着させることにより基材の研磨作用を向上させることも提案されている。
【発明の開示】
【発明が解決しようとする課題】
【０００５】
多くの環境では、何度も使用すると、表面は強力な研磨材によって傷が付く可能性があるため、より穏やかな研磨作用を有するが、それにも関わらず汚れ、油脂、焦付いた食品などの物質を迅速で完全に除去できる清掃用基材に対する消費者からの需要が高まっている。また、消費者は、それ自体容易に（例えば、使用後、単にすすぐだけで）清掃され、望ましくない臭気および、それを使用する可能性がある他の表面を後で汚染し得る望ましくない残留物（例えば、食品片）を保持しない清掃用基材を必要としている。本発明の目的は、それらの要件が満たされることを可能にすることである。
【課題を解決するための手段】
【０００６】
本発明は、家庭用の汚れを擦り落とす基材に使用するのに従来提案されたものと比較してフロック繊維が短いフロック加工された基材が、フロック繊維に研磨粒子を沈着させることを必要とすることなく、汚れを擦り落とす材料として有効に機能できるという驚くべき発見に基づいている。フロック繊維上に研磨粒子がないと、基材が被清掃面に傷を付ける可能性が低減する。
【０００７】
従って、本発明は、家庭用の汚れ落とし材として使用するためのフロック加工された基材を提供する。ここで、フロックは、基材に実質的に垂直に配列され、かつ最大長さ２．０ｍｍの繊維を備え、繊維は実質的に研磨粒子を含まない。
【０００８】
フロック繊維が長さ２．０ｍｍ未満で研磨粒子を含まないフロック加工基材は、ある工業プロセスに研磨パッドとして使用することがすでに提案されている（光学ガラスおよび半導体基板などの物品を研磨するためにフロック加工された基材を使用することについて記載している、国際公開第９８／４５１１２号パンフレット、仏国特許第２７９９４０３号明細書、および欧州特許第１０５７５９０号明細書を参照されたい）。それらの工業プロセスでは、研磨パッドは、典型的には、何らかの形態の研磨用化合物と組み合わせて使用される。
【０００９】
本発明は、また、フォーム層に積層されているフロック加工された基材を備える清掃用物品も提供する。ここで、フロックは、それらが固着される基材の表面に実質的に垂直に配列され、かつ最大長さ２．０ｍｍの繊維を備え、繊維は実質的に研磨粒子を含まない。フォームは、家庭での清掃に好適であることが知られている、任意の種類のものとすることができ、密度が７５〜１２５Ｋｇ／ｍ3の範囲のセルロース系フォーム、および密度が１８〜３０Ｋｇ／ｍ3の範囲のポリウレタンフォームが挙げられる。手持ちで使用するのに好適なパッドの形態であってもよい、その種の清掃用物品は、表面を清掃するときに有用な２つの異なる清掃作用、即ち、パッドのフロック加工された面によって提供される、汚れを擦り落とす作用と、パッドの反対側のフォーム面によって提供される清拭作用を使用者に提供する。
【００１０】
本発明は、更に、フロック加工されたワイプを備える清掃用物品を提供する。ここで、フロックは、それらが固着されるワイプの表面に実質的に垂直に配列され、かつ最大長さ２．０ｍｍの繊維を備え、繊維は実質的に研磨粒子を含まない。
【００１１】
本明細書で使用される場合、「ワイプ」の用語は、清拭作用によって表面から好ましくない物質を除去するため、乾燥状態又は湿潤状態で使用するのに好適な液体吸収性ウェブ材料を意味する。ワイプは、その耐久性によって、「使い捨て」（使用後直ぐに捨てられることが意図されていることを意味する）、「半使い捨て」（限られた回数、洗浄され、再使用されることが可能であることを意味する）、および「再使用可能」（洗浄され、再使用されることを意図されていることを意味する）に分類されることが多い。既知のワイプ材料は、一般に、坪量が１５〜３００ｇｍ／ｍ2の範囲であるが、坪量のより大きい材料を使用することができ、編成材料、織布材料、および不織材料が含まれる。ワイプ材料は、親水性であることが多いが、例えば油脂や油などの非水性液体を吸収するように特殊に構成することもできる。
【００１２】
本発明の清掃用物品では、フロックは、ワイプの液体吸収面の少なくとも一領域が露出したままであるように適用されるべきである。また、その種の清掃用物品は、表面を清浄にするときに有用な２つの異なる清掃作用、即ち、ワイプの１つ以上のフロック加工領域によって提供される汚れを擦り落とす作用と、１つ以上の露出液体吸収領域によって提供される清拭作用を使用者に提供する。
【００１３】
典型的には、ワイプの両側が同じ清拭作用を提供する。しかし、本発明の清掃用物品がワイプを備え、その清拭作用がワイプの一方側だけによって提供される場合、その一方側の少なくとも一部の表面が露出したままであるようにフロック繊維を適用すべきである。
【００１４】
一例として、本発明の実施形態を添付の図面を参照して以下で説明する。
【発明を実施するための最良の形態】
【００１５】
図１に示される汚れ落とし基材１は、フロックが、基材材料５に実質的に垂直に配列され、かつ接着剤層７によって基材材料に固着されている繊維３を備える、フロック加工された基材である。
【００１６】
図１に示される一般的な種類のフロック加工された基材、およびその製造プロセスは、よく知られている。慣用的なプロセスでは、接着剤層が基材材料に塗布され、接着剤層がまだ粘着性を有する間、フロック繊維は接着剤に静電気的に引き寄せられ、そのため、フロック繊維の一端が接着剤に埋設されて基材材料に略垂直に起立する。次いで、基材をオーブン中で加熱し、接着剤層を乾燥および硬化させる。
【００１７】
汚れ落とし基材１を製造するため、家庭での清掃に好適な（即ち、お湯および清掃用流体に耐え得る）任意の可撓性織布材料又は不織材料を基材材料５に使用することができる。好適な材料の１つは、ポリエステル６５％およびコットン３５％を含み、坪量１０５ｇ／ｍ2のポリエステル／コットンの織布材料である。
【００１８】
フロック加工に好適であり、且つ家庭での清掃にも好適である（即ち、お湯および清掃用流体に耐え得る）ことが知られている任意の繊維をフロック３に使用できる。特に好適な材料はポリアミドであり、とりわけナイロン６、又はナイロン６．６の形態であるが、ポリプロピレン又はポリエステル繊維も使用できる。繊維は必要に応じて着色されてもよく、好ましくは、繊度（単位長さ当りの質量）が１５〜８０ｄｔｅｘの範囲（更に好ましくは、２２〜５０ｄｔｅｘの範囲）であり、２．０ｍｍ以下の長さに切断される。特に有効な汚れ落とし作用は、長さ０．８ｍｍおよび繊度４４ｄｔｅｘ、又は、長さ０．４ｍｍおよび繊度２２ｄｔｅｘの繊維を使用して達成されることが分かった。
【００１９】
フロック３は、基材材料上に均一に適用されてもよく、その場合、好ましくは１５０〜１８０ｇ／ｍ2の量で適用される。別法によれば、フロック３は、フロック３が基材材料５の表面上にパターンを形成するように適用されてもよい：これを達成できるプロセスは周知であり、接着剤７を表面に必要とされるパターンに、通常は何らかの形態の印刷法で塗布することを包含し、その結果、フロック繊維は、接着剤が塗布された領域だけにおいて基材に接着される。図２は、例えば、基材材料５の規則的な間隔で配置された長方形のパッチ１１に接着剤７が塗布されないことによって達成されるパターンを示す。この場合、フロック繊維３は、基材が露出したままである、そのパッチ内を除く全ての場所で基材材料５に接着する。フロック３で被覆されていない基材材料５の面積を変化させるように、パッチ１１のサイズを変えることができ、パッチ１１の形状も変化させることができる。
【００２０】
フロック３を基材材料５に結合させるために選択される接着剤は、また、家庭での清掃にも好適でなければならず（特に、お湯および清掃用流体に耐えることができなければならず）、且つ基材材料の可撓性に悪影響を与えてはならない。好適な接着剤は、アクリル系接着剤、およびＰＶＣ（ポリ塩化ビニル）樹脂であり、基材材料上に非常に薄い層が形成される量（例えば、約９０〜１４０ｇ／ｍ2）で塗布される。
【００２１】
図１を参照して前述したように構成されたフロック加工基材は、台所および浴室の表面を清掃するだけでなく、フロック繊維３に研磨粒子が含まれていないにも関わらず、通常の液体洗剤を使用して料理用品から焦付いた食品を除去するのにも十分な、家庭環境で有効な汚れ落とし作用を提供することが分かった。その汚れ落とし作用は、プラスチック（又は、他の柔軟な）研磨粒子を含有するものを含めた、現在市販されている引掻き傷を作らない家庭用の汚れを擦り落とす不織材料の、汚れ落とし作用に匹敵し、それよりも良好な場合もあることが分かった。他方、フロック加工基材に研磨粒子が含まれていないと、被清掃面に傷を付ける可能性が実質的にない。フロック加工基材は、被清掃面から除去される物質の残留物を取り込まず、そのため、使用後、基材上に残存する残留物は、単に水中で基材をすすぐだけで容易に除去されることが分かった。必要に応じて、基材をお湯と洗剤の中で洗浄した後、再使用することができる。
【００２２】
着色されているか、又は印刷されたデザインを有する基材材料を使用し、色又は印刷されたデザインが見えたままであるようにフロック３を適用することにより、フロック加工された基材の外観を変えることができる。
【００２３】
本発明の好ましい実施形態では、図１および図２を参照して前述したようなフロック加工基材１は、図３に示されるように、フォーム９の層に積層される。次いで、この積層体を家庭での清掃に、特に手持ちで使用するのに好適なサイズのパッドに切断してもよい。フォーム９は、家庭での清掃に好適であることが知られている任意の種類のものとすることができ、密度が７５〜１２５Ｋｇ／ｍ3の範囲のセルロース系フォーム、および密度が１８〜３０Ｋｇ／ｍ3の範囲のポリウレタンフォームが挙げられる。
【００２４】
フォームは、任意の好適な厚さのものとすることができるが、０．５〜５．０ｃｍの範囲の厚さが家庭での清掃に特に有用であることが分かった。より薄いフォーム層を使用するとき、積層体を、表面積のより大きい（例えば、２０ｃｍ×２０ｃｍまでの寸法を有する）パッドに切断することができる。フォーム層が厚い方が、表面積のより小さい（例えば、約７ｃｍ×９ｃｍの寸法の）パッドにより好適な場合がある。
【００２５】
一例として、フォーム層１７に積層されたフロック加工基材１５を備える清掃用パッド１３が図４に示されている。この場合、フロックは、図２に表されるパターンを形成するように、基材に適用されるが、しかし、それは必須ではなく、フロックは他のパターンを形成するように適用されても、又は基材に連続的に適用されてもよい。
【００２６】
図５は、フロックが基材２５に実質的に垂直に配列され、かつ接着剤層２７によって基材に固着されている繊維２３を含むフロック加工基材も備える清掃用物品２１を示す。しかし、この場合、基材２５は、消費者が表面の清掃に使用するのに好適なワイプを備える。ワイプ２５は、「使い捨て」（使用後直ぐに捨てられることが意図されていることを意味する）、「半使い捨て」（限られた回数、洗浄され、再使用されることが可能であることを意味する）、又は「再使用可能」（洗浄され、再使用されることを意図されることを意味する）であってよい。既知のワイプ材料は、一般に、坪量が１５〜３００ｇｍ／ｍ2の範囲であるが、坪量のより大きい材料が使用され得る。織布材料および編成材料は、不織材料と同様に好適であり、不織材料には、乾式法、湿式法、およびスパンボンド法の材料が挙げられ、適当な場合、熱融着、樹脂接着、超音波融着、ニードルパンチ、水流交絡などをされたものであってもよい。
【００２７】
使い捨てワイプに好適な材料には、坪量が１５〜７５ｇｍ／ｍ2の範囲で、例えば、ＰＥＴ、レーヨン、ビスコース、木材パルプ、ポリプロピレン、天然繊維、ポリアミド、又はこれらの混合物から形成されるスパンボンドおよびスパンレースの不織材料が挙げられる。使い捨てワイプ材料の例は、デュポン（ＤｕＰｏｎｔ）から「ソンタラ（Ｓｏｎｔａｒａ）」の商品名で、および、イタリア、テルノ・ディゾラのテノテックス（Ｔｅｎｏｔｅｘ  ｏｆ  Ｔｅｒｎｏ  ｄ’Ｉｓｏｌａ）から「テノレース（ＴｅｎｏＬａｃｅ）」の商品名で入手可能である。
【００２８】
半使い捨てワイプに好適な材料には、坪量が７５〜２５０ｇｍ／ｍ2の範囲で、例えば、ポリエステル、ポリアミド、ビスコースの繊維又は極細繊維から形成されるスパンレース不織材料が挙げられる。半使い捨てワイプ材料の例は、米国ミネソタ州セントポール在の３Ｍ社（３Ｍ  Ｃｏｍｐａｎｙ）から「スコッチ−ブライト（商標）ダスティング・クロス（Ｓｃｏｔｃｈ−ＢｒｉｔｅTM  Ｄｕｓｔｉｎｇ  Ｃｌｏｔｈ）」の商品名で、およびデュポン（ＤｕＰｏｎｔ）から「ソンタラ（Ｓｏｎｔａｒａ）」の商品名で、入手可能である。
【００２９】
再使用可能なワイプに好適な材料には、坪量が１００〜３００ｇｍ／ｍ2の範囲で、例えば、ＰＥＴ、レーヨン、ビスコース、ポリプロピレン、天然繊維、ポリアミド、又はこれらの混合物などの繊維又は極細繊維から形成される編成材料、織布材料、熱融着材料、ラテックスコーティングされた材料、およびシャモア型の材料が挙げられる。再使用可能なワイプの一例は、スペイン、マドリッド在のレーバー（Ｌｅｖｅｒ）から「アイディアル（Ｉｄｅａｌ）」の商品名で、入手可能である。
【００３０】
ワイプはしばしば親水性であるが、非水性液体を吸収するように特殊に構成することもできる。極細繊維のワイプは、例えば、表面から油脂を除去することが意図されている。
【００３１】
典型的には、ワイプ２５の両側は、同じ清拭作用を提供する。しかし、ワイプ２５の一方側だけが清拭作用を提供する場合、ワイプのその一方側の十分な面積が露出したままであり、清拭作用を提供するのに使用できるようにフロック繊維２３をワイプに適用する。例えば、このような場合、ワイプ２５のもう一方の（非清拭）側にだけフロック繊維２３を適用することができる。
【００３２】
図１〜図３のフロック３についての上記の説明は、清掃用物品２１のフロック２３にも適用される。同様に、フロック２３は、ワイプ２５の表面上に均一に適用することができる（この場合、好ましくは１５０〜１８０ｇｍ／ｍ2の量で適用される）か、又は、更に好ましくは、前述のようにワイプ２５の表面上にパターンを形成するように適用することができる。後者の場合、ワイプ材料の表面に所望のパターンに接着剤２７を塗布するスクリーンコーティング法を使用することが好ましいが、それは、これによって高粘度の接着剤を非常に薄い層に塗布することができ、そのため、表面のコーティングされていない部位の液体吸収性、および（適切な場合）ワイプのもう一方の表面の液体吸収性を保持できるからである。
【００３３】
フロック２３は、ワイプ２５の表面に図２に表されるパターンに、又は一例として、図６および図７に表される代替のパターンに適用されてもよい。必要に応じて、無秩序なパターンを含む、他のパターンを使用することができる。
【００３４】
図６は、垂直に交わる２組の平行線として接着剤２７をワイプ２５上に印刷することによって達成されるパターンを示し、図７は、１組の平行線として接着剤２７をワイプ２５上に印刷することによって達成されるパターンを示す。フロックが適用されるワイプ２５の表面が液体吸収性であるとき、フロックは、好ましくは、液体吸収性がフロック加工されていない領域で保持されるように適用される。また、フロックは、好ましくは、ワイプのもう一方の表面の液体吸収性が影響を受けないように適用される。幾つかの用途では、ワイプ２５の選択された１つの領域、例えば、１つのコーナーにだけフロックを適用することが望ましい場合がある。
【００３５】
また、フロック２３をワイプ２５に結合させるために選択される接着剤は、ワイプが意図されている状態で使用するのにも好適でなければならない（例えば、お湯および清掃用流体に耐えることができなければならない）。好ましくは、ワイプの可撓性、又は、既に記載したように、ワイプ表面のコーティングされていない部分の液体吸収性のどちらにも悪影響を与えてはならない。好適な接着剤およびコーティング重量は、図１の接着剤７に関して前述したとおりである。
【００３６】
フロックを適用し、第１の接着剤層を硬化させ後、必要に応じて、第１の接着剤層の上に接着剤を更にコーティングすることができる。この追加のプロセス段階は、フロック加工材料の耐久性を増大させる点でテキスタイル分野で既知である。
【００３７】
図５を参照して前述したように構成されているフロック加工ワイプは、フロック加工された表面を使用することにより、作業面を清掃するだけでなく、フロック繊維２３に研磨粒子が含まれていないにも関わらず、通常の液体洗剤を使用して料理用品から焦付いた食品を除去するのにも十分な、有効な汚れ落とし作用を提供する。汚れ落とし作用は、プラスチック（又は、他の柔軟な）研磨粒子を含有するものを含めた、現在市販されている引掻き傷を作らない家庭用の汚れを擦り落とす不織材料の、汚れ落とし作用に匹敵し、それよりも良好な場合もあることが分かった。他方、フロック繊維２３に研磨粒子が含まれていないと、被清掃面に傷を付ける可能性が実質的にない。同時に、ワイプのフロック加工されていない表面、又は表面領域は、ワイプ２５が意図されている通常の清拭作用を提供するのに使用可能である。ワイプ２５のフロック加工されていない表面、又は表面領域は、被清掃面から除去される物質の残留物を取り込まず、そのため、使用後、ワイプ上に残存する残留物は、単に水中でワイプをすすぐだけで容易に除去されることが分かった。
【００３８】
ワイプ２５は、典型的には、手で使用するのに好適なサイズのものであるが、例えば、床を清掃するためのモップヘッドで使用するのに好適な、より大きいサイズのものとすることができる。
【図面の簡単な説明】
【００３９】
【図１】汚れ落とし基材の模式断面図である。
【図２】パターン加工された汚れ落とし基材の平面図である。
【図３】手持ち式の清掃用パッドの模式断面図である。
【図４】手持ち式の清掃用パッドの斜視図である。
【図５】別の清掃用物品の模式断面図である。
【図６】他の清掃用物品の平面図である。
【図７】他の清掃用物品の平面図である。
【図１】
2005537857.tif 000003
【図２】
2005537857.tif 000004
【図３】
2005537857.tif 000005
【図４】
2005537857.tif 000006
【図５】
2005537857.tif 000007
【図６】
2005537857.tif 000008
【図７】
2005537857.tif 000009
【国際調査報告】
2005537857.tif 000010
2005537857.tif 000011
2005537857.tif 000012